(57)【特許請求の範囲】
【請求項１】
液体を吸引するための吸引口と、吸引した液体を排出するための流出口とを有するケーシング、
前記ケーシング内に回転自在に設けられたインペラ、
前記インペラと磁気カップリングされ、前記インペラを回転させて前記液体の吸引および排出を行なう回転駆動手段、
前記インペラを前記液体中で浮上させるための磁気軸受、
前記インペラの浮上位置を検出する位置センサ、および
前記位置センサの検出結果に基づいて前記磁気軸受を制御する制御手段を備え、
前記制御手段は、前記磁気軸受を制御して前記インペラの浮上位置をステップ状に変化させ、そのときの前記インペラの応答時間より前記液体の粘度を求める粘度計測手段を含む、粘度計測機能付磁気浮上型ポンプ。
【請求項２】
さらに、前記液体の温度を検出するための温度センサを備え、
前記粘度計測手段は、前記温度センサで検出された温度データと前記検出された液体粘度との計算結果に基づいてヘマトクリットを演算する演算手段を含む、請求項１の粘度計測機能付磁気浮上型ポンプ。
【請求項３】
前記演算手段は、前記液体粘度が予め定める値以上または以下になった場合に、警報信号を出力することを特徴とする、請求項２の粘度計測機能付磁気浮上型ポンプ。
【発明の詳細な説明】
【０００１】
【発明の属する技術分野】
この発明は粘度計測機能付磁気浮上型ポンプに関し、特に、血液ポンプのような医療機器や人口心肺に用いられ、血液の粘度を計測する機能を備えたような粘度計測機能付磁気浮上型ポンプに関する。
【０００２】
【従来の技術および発明が解決しようとする課題】
図６は従来の人工心肺装置を示す図である。図６において、人工心肺装置は血液ポンプ１と人工肺２のほかに計測手段として圧力計３が設けられ、血液ポンプ１として遠心型を用いる場合には、さらに流量計４が必要となる。人工心肺装置の使用に際しては、一定時間ごとに採血し、別の装置で血液の状態を検査することが行なわれる。その際、血液希釈剤の使用によりヘマトクリットや血液粘度が変化し、血液粘度は血液温度にも依存して変化する。血液粘度の変化はさらに流路内の流速分布を変化させる。このようなヘマトクリットや流速分布の変化は次のように各種流量計の誤差要因となる。
【０００３】
すなわち、人工心肺装置用流量計として電磁流量計や超音波ドップラー流量計が用いられる。電磁流量計では、液体の導電率が出力電圧に大きく影響し、ヘマトクリットは血液の導電率を変化させるため、ヘマトクリットの変化が測定誤差の要因となる。また、超音波ドップラー流量計では流速分布の変化が大きな誤差要因であり、血液粘度は流速分布を変えるため、血液粘度が測定精度に影響する。各ヘマトクリット，粘度ごとに流量系の検定をしておけば、これらの値によって補正することが可能である。これまで、ヘマトクリットや血液粘度の測定は採血を伴なうバッチ処理を必要としていたため、このような補正をリアルタイムで実行することは不可能であった。
【０００４】
それゆえに、この発明の主たる目的は、血液粘度をリアルタイムで計測可能な粘度計測機能付磁気浮上型ポンプを提供することである。
【０００５】
【課題を解決するための手段】
請求項１に係る発明は、液体を吸引するための吸引口と吸引した液体を排出するための流出口とを有するケーシングと、ケーシング内に回転自在に設けられたインペラと、インペラと磁気カップリングされ、インペラを回転させて液体の吸引および排出を行なう回転駆動手段と、インペラを液体中で浮上させるための磁気軸受と、インペラの浮上位置を検出する位置センサと、位置センサの検出結果に基づいて磁気軸受を制御する制御手段とを備えたものである。ここで、制御手段は、磁気軸受を制御してインペラの浮上位置をステップ状に変化させ、そのときのインペラの応答時間より液体の粘度を求める粘度計測手段を含む。
【０００７】
請求項２に係る発明では、さらに液体の温度を検出するための温度センサを設け、粘度計測手段は、温度センサで検出された温度データと検出された液体粘度との計算結果に基づいてヘマトクリットを演算することにより、採血することなく血液情報を得る。
【０００８】
請求項３に係る発明では、液体粘度が予め定める値以上または以下になった場合に警報信号を出力することにより、人工心臓装着患者への迅速な処理を可能にする。
【０００９】
【発明の実施の形態】
図１はこの発明の実施形態の機構部分を示す図であり、特に、（ａ）は側面断面図を示し、（ｂ）は（ａ）の線Ａ−Ａに沿う断面図であり、（ｃ）は（ａ）のＢ−Ｂに沿う断面図である。
【００１０】
図１において、ケーシング５内には可動子６が回転可能に設けられており、可動子６はＳＵＳ系磁性体７とリング磁石８を埋め込んだ非磁性体９からなっている。また、ＳＵＳ系磁性体７と非磁性体９との間には流路１０が設けられている。ケーシング５の一方側にはリング磁石８と対向するように永久磁石１１が設けられる。リング磁石８と永久磁石１１とは軸方向に着磁されていて、両者が吸引するように作用する。また、ケーシング５の一方側の中央部には温度センサ１２が設けられていて、この温度センサ１２によって血液温度が検出される。
【００１１】
ケーシング５の他方側には電磁石１３と位置センサ１４とからなる制御式磁気軸受が設けられている。血液はケーシング５の他方側に設けられた吸入口１５から入り、流出口１６から排出される。図１における制御式磁気軸受はＺ，θｘ  ，θｙ  の３軸が制御される３軸制御型磁気軸受となっている。
【００１２】
図２はこの発明の実施形態のブロック図である。この実施の形態で用いられる制御式磁気軸受は、前述の図１で説明したように、３軸型であるため、図２に示した実線で示す制御ループが３つ設けられていて、それぞれの制御ループによってＺ，θｘ  ，θｙ  が制御される。図２ではＺ軸制御ループのみを示している。
【００１３】
ＰＩＤ回路２１は補償回路であって、その出力は増幅器２２で電流増幅され、電磁石１３が制御される。図２における１／（Ｍｓ２  −Ｋｆ）は磁気軸受の制御対象を表わす伝達関数である。Ｃｓは可動子６が液体中で浮上したときの粘性減衰力である。
【００１４】
さらに、この発明の特徴となる信号処理装置３０が設けられる。この信号処理装置３０は信号発生器３１とＣＰＵ３２とからなる。信号発生器３１は一定電圧のステップ状信号を発生し、この信号が可動子浮上位置信号に加算される。この電気的信号によって可動子６の浮上位置が変化する。この変化の速度は液体の減衰係数Ｃによって影響を受ける。
【００１５】
ＣＰＵ３２は予め求められた可動子応答時間と粘度との関係より液体粘度を演算する。粘度と減衰係数は等価であるため、応答時間より粘度を容易に演算できる。ＣＰＵ３２はさらに血液温度と計算された粘度からヘマトクリットなどの有効な医療情報を出すことも可能である。表１は回転円錐型粘度計を用いて人血液の粘度，ヘマトクリット，温度の関係の測定結果であり、血液温度と血液粘度からヘマトクリットの推定が可能であることを示している。
【００１６】
【表１】
0003553255.tif 000002
【００１７】
通常の流量計は粘度変化によって誤差が生ずるが、ここで求められた粘度は流量計の補正にも利用され、精度の高い流量計測が実現できる。また、血液粘度が高くなると血栓ができやすいこと、出血により血液粘度が低下することがある。そこでＣＰＵ３２は粘度計測の結果を粘度許容値と比較して高過ぎた場合あるいは低すぎた場合は警報信号を出力することにより、医師へのあるいは患者自らの迅速な処置が可能になる。
【００１８】
図３はこの発明が適用される血液ポンプを示す図であり、特に（ａ）は側面断面図を示し、（ｂ）は（ａ）のＡ−Ａに沿う断面図である。この図３に示した例は、図１に示した可動子６に代えてインペラ１７が設けられ、インペラ１７の一方面に永久磁石８が設けられ、この永久磁石８に対向してロータ１８に永久磁石１１が設けられる。ロータ１８はＤＣモータ１９によって回転駆動され、永久磁石８と１１との磁気カップリングによってインペラ１７が回転する。そして、インペラ１７の他方側に設けられている電磁石１３に前述の図２に示した信号発生器３１からステップ状信号が与えられ、それに伴ないインペラ１７が移動し、移動時の応答が位置センサによって検出される。
【００１９】
図４は血液ポンプの他の例を示す図である。図４においてインペラ４１は２個のラジアル磁気軸受４２によって能動的に支持され、ラジアル磁気軸受４２は位置センサ４３と電磁石４４と図示されていないコントローラによって構成されている。インペラ４１に取付けられた永久磁石４５とステータ４６とによってＤＣブラシレスモータが構成され、インペラ４１が回転する。流体は吸入口４７から吸引され、インペラ４１の回転により加圧されて吐出口４８から流出する。
【００２０】
この実施例においても、電磁石４４に図２に示された信号発生器３１よりステップ状信号が与えられ、可動子の応答が位置センサで検出される。
【００２１】
図５はインペラの浮上位置をステップ状に変化させたときのインペラの応答を示す図である。液体粘度が大きくなると定位置に安定するまでの時間が長くなる。そこで、図５（ａ）に示すように、浮上位置信号をステップ状に変化させたときの、図５（ｂ）に示すτを測定することにより、粘度を求めることができる。
【００２２】
【発明の効果】
以上のように、この発明によれば、インペラを流体中で浮上させ、このインペラの浮上位置をステップ状に変化させ、そのときのインペラの応答時間より液体の粘度を求めるようにしたので、血液粘度をリアルタイムで計測できる。また、温度と粘度とを組み合わせることにより、採血することなく血液情報を得ることができる。さらに、血液粘度異常警報を出すことにより、人工心臓装着患者への迅速な処理が可能になる。
【図面の簡単な説明】
【図１】この発明の実施形態の機構部分を示す図である。
【図２】この発明の実施形態のブロック図である。
【図３】この発明が適用される血液ポンプを示す図である。
【図４】血液ポンプの他の例を示す図である。
【図５】インペラの浮上位置をステップ状に変化させたときのインペラの応答特性を示す図である。
【図６】従来の人工心肺装置を示す図である。
【符号の説明】
５  ケーシング
６  可動子
７  ＳＵＳ系磁性体
８  リング磁石
１１，４５  永久磁石
９  非磁性体
１０  流路
１２  温度センサ
１３，４４  電磁石
１４，４３  位置センサ
２１  ＰＩＤ回路
２２  増幅器
３０  信号処理装置
３１  信号発生器
３２  ＣＰＵ
１７，４１  インペラ
４２  ラジアル磁気軸受
４６  ステータ
１５，４７  吸入口
４８  吐出口
【図１】
0003553255.tif 000003
【図２】
0003553255.tif 000004
【図３】
0003553255.tif 000005
【図４】
0003553255.tif 000006
【図５】
0003553255.tif 000007
【図６】
0003553255.tif 000008